(57)【要約】【課題】  既存棚板に装着できるとともに棚板とのずれを防止できる商品前出し棚を提供する。【解決手段】  本発明の商品前出し棚１は、奥行き方向前方を下に傾斜した棚板１３の上面の前部に装着する取付金具３と、レール材５と、前面板７と、棚板１３の奥行き方向に亘って配置するローラマット９とを備え、レール材５は前面板７を係止する前面板係止部３３と、ローラマット９の前部を係止するローラマット係止部３５とを有し、取付金具３は棚板１３の前部に形成されている係合孔２５に係止する棚板係止爪２１と、レール材５に形成されている係合孔２７に係止するレール材係止爪２３とを有している。【選択図】      図１
2005137754.tif 000002
【特許請求の範囲】
【請求項１】
奥行き方向前方を下に傾斜した棚板上面の前部に装着する取付金具と、レール材と、前面板と、棚板の奥行き方向に亘って配置するローラマットとを備え、レール材は前面板を係止する前面板係止部と、ローラマットの前部を係止するローラマット係止部とを有し、取付金具は棚板の前部に形成されている係合孔に係止する棚板係止爪と、レール材に形成されている係合孔に係止するレール材係止爪とを備えることを特徴とする商品前出し棚。
【請求項２】
取付金具の棚板係止爪は取付金具本体の前方で且つ下方に突設した断面略Ｌ字状であり、取付金具のレール材係止爪は取付金具本体の後方で且つ上方に突設した断面略Ｌ字状としてあることを特徴とする請求項１に記載の商品前出し棚。
【請求項３】
レール材の下面にリブが突設しており、取付金具本体にはリブが挿入されるリブ孔が形成されており、リブ孔の内周縁がリブの移動を規制することを特徴とする請求項１又は２に記載の商品前出し棚。
【請求項４】
奥行き方向前方を下に傾斜した棚板上面に装着する取付金具と、レール材と、前面板と、棚板の奥行き方向に亘って配置するローラマットとを備え、レール材は前面板を係止する前面板係止部と、ローラマットの前部を係止するローラマット係止部とを有し、取付金具は棚板の後端に係止する係止部と、レール材に形成されている係合孔に係止するレール材係止爪とを有することを特徴とする商品前出し棚。
【請求項５】
レール材の前面板係止部は前面板下端の差込溝を備え、前面板の下端部前面には長手方向の係合溝を備え、差込溝の溝壁には前面板の係合溝に嵌合する突条が設けてあることを特徴とする請求項１〜４のいずれか一項に記載の商品前出し棚。
【請求項６】
レール材のローラマット係止部にはローラマット上面の押さえ部と、ローラマットの下面に係合する上向き突部とを備え、ローラマットの先端には上面が凹んだ段部が形成されており、段部に押さえ部が位置して押さえ部の上面とローラの側面とが略面一としてあり、ローラマットの下面にはレール材の上向き突部が係合していることを特徴とする請求項１〜５のいずれか一項に記載の商品前出し棚。
【請求項７】
棚板の係合孔は丸孔であり、棚板係止爪は取付金具の左右に対になって設けてあり、且つ各棚板係止爪は棚板の長手方向に対して傾斜していることを特徴とする請求項１〜６のいずれか一項に記載の商品前出し棚。
【発明の詳細な説明】
【技術分野】
【０００１】
本発明は、陳列商品を前出しする商品前出し棚に関する。
【背景技術】
【０００２】
特許文献１には、ローラマットを備えた棚板に前面板を取り付けてなる商品前出し棚が開示されている。
【０００３】
特許文献２には、棚板の前部に載置するレール材に前面板を取り付けるとともに、奥行き方向前方を下にして傾斜したローラマットをレール材に係止してローラマットの位置決めする商品前出し棚が開示されている。
【０００４】
【特許文献１】特開２００１−７８８６０号公報
【特許文献２】特開２０００−２８７７９５号公報
【発明の開示】
【発明が解決しようとする課題】
【０００５】
しかし、上述した特許文献１に開示の技術では、棚板にはローラマットを一体に装着した商品前出し専用の棚であり、商品前出し棚用になっていない一般の既存棚板に装着するものではない。
【０００６】
また、特許文献２に開示の商品前出し棚では、レール材と傾斜したローラマットとを既存の棚板に載置することが可能であるが、単に既存棚板に載置しただけではレール材やローラマットが棚板からずれるおそれがある。
【０００７】
そこで本発明は、既存棚板に装着できるとともに棚板とのずれを防止できる商品前出し棚の提供を目的とする。
【課題を解決するための手段】
【０００８】
請求項１に記載の発明は、奥行き方向前方を下に傾斜した棚板上面の前部に装着する取付金具と、レール材と、前面板と、棚板の奥行き方向に亘って配置するローラマットとを備え、レール材は前面板を係止する前面板係止部と、ローラマットの前部を係止するローラマット係止部とを有し、取付金具は棚板の前部に形成されている係合孔に係止する棚板係止爪と、レール材に形成されている係合孔に係止するレール材係止爪とを備えることを特徴とする。
【０００９】
請求項２に記載の発明は、請求項１に記載の発明において、取付金具の棚板係止爪は取付金具本体の前方で且つ下方に突設した断面略Ｌ字状であり、取付金具のレール材係止爪は取付金具本体の後方で且つ上方に突設した断面略Ｌ字状としてあることを特徴とする。
【００１０】
請求項３に記載の発明は、請求項１又は２に記載の発明において、レール材の下面にリブが突設しており、取付金具本体にはリブが挿入されるリブ孔が形成されており、リブ孔の内周縁がリブの移動を規制することを特徴とする。
【００１１】
請求項４に記載の発明は、奥行き方向前方を下に傾斜した棚板上面に装着する取付金具と、レール材と、前面板と、棚板の奥行き方向に亘って配置するローラマットとを備え、レール材は前面板を係止する前面板係止部と、ローラマットの前部を係止するローラマット係止部とを有し、取付金具は棚板の後端に係止する係止部と、レール材に形成されている係合孔に係止するレール材係止爪とを有することを特徴とする。
【００１２】
請求項５に記載の発明は、請求項１〜４のいずれか一項に記載の発明において、レール材の前面板係止部は前面板下端の差込溝を備え、前面板の下端部前面には長手方向の係合溝を備え、差込溝の溝壁には前面板の係合溝に嵌合する突条が設けてあることを特徴とする。
【００１３】
請求項６に記載の発明は、請求項１〜５のいずれか一項に記載の発明において、レール材のローラマット係止部にはローラマット上面の押さえ部と、ローラマットの下面に係合する上向き突部とを備え、ローラマットの先端には上面が凹んだ段部が形成されており、段部に押さえ部が位置して押さえ部の上面とローラの側面とが略面一としてあり、ローラマットの下面にはレール材の上向き突部が係合していることを特徴とする。
【００１４】
請求項７に記載の発明は、請求項１〜６のいずれか一項に記載の発明において、棚板の係合孔は丸孔であり、棚板係止爪は取付金具の左右に対になって設けてあり、且つ各棚板係止爪は棚板の長手方向に対して傾斜していることを特徴とする。
【発明の効果】
【００１５】
請求項１に記載の発明によれば、既存の棚板に取付金具を係止して、取付金具に前面板とローラマットを係止するだけで、既存棚板を商品前出し棚に簡単に組み換えできる。
【００１６】
取付金具は棚板係止爪により棚板に係止されているとともに、レール材係止部によりレール材に係止されているので、レール材及びレール材に係止しているローラマットが棚板から位置ずれするのを防止できる。
【００１７】
取付金具には棚板係止爪とレール材係止爪とを設けるだけの簡単な構成にすることができ、簡易な構成で且つ製造も容易である。
【００１８】
取付金具、レール材、前面板及びローラマットを別部材として簡単に組み付けや分解ができる、しかもそれぞれ別部材として搬送したり、保管できるので、保管時や搬送時のスペースを取らず、しかも取扱い易い。
【００１９】
請求項２に記載の発明では、請求項１に記載の発明と同様な効果を奏するとともに、取付金具の各係止爪は上方と下方とに突設した断面略Ｌ字形状としているので、係合孔に係止し易く且つ係合孔からの飛出しを防止できる。
【００２０】
請求項３に記載の発明では、請求項１又は２に記載の発明と同様の効果を奏すると共に、取付金具に対してレール材が移動しようとしたときに、レール材下面に突設したリブがリブ孔の内周縁に当接して取付金具に対するレール材の移動を規制することができる。
【００２１】
レール材にリブを形成するとともに取付金具に孔を形成するだけの構造であるから構成が簡易である。
【００２２】
請求項４に記載の発明では、既存の棚板に取付金具を係止して、取付金具に前面板とローラマットを係止するだけで、既存棚板に簡単に組み付けできる。
【００２３】
レール材に係止した取付金具は係止部を棚板の後端に係止しているので、レール材及びレール材に係止しているローラマットが棚板からずれるのを防止できる。
【００２４】
取付金具は、傾斜した棚板の後端に係止する係止部とレール材係止爪とを設ける構成であるから取付金具の構成が簡易であり、製造も容易である。
【００２５】
取付金具、レール材、前面板及びローラマットを別部材として簡単に組み付けや分解ができる、しかもそれぞれ別部材として搬送したり、保管できるので、保管時や搬送時のスペースを取らずしかも取扱い易い。
【００２６】
請求項５に記載の発明では、請求項１〜４のいずれか一項に記載の発明と同様な効果を奏するとともに、商品を前出しするときの振動や商品を取り出すときに商品をぶつけたり、或いはいたずらにより前面板が外れるのを防止できる。
【００２７】
請求項６に記載の発明では、請求項１〜５のいずれか一項に記載の発明と同様な効果を奏するとともに、ローラマットの先端は上面を押さえ部材で押さえており、しかもローラマットの下面はレール材の上向き突部と係合しているので、レール材からローラマットが外れ難く且つ位置ずれし難い。しかも、押さえ部材はローラマット先端の凹みに配置されるので、ローラマットのローラ面と押さえ部の上面とに段差がなく、商品を前出しするときに商品が引っかかったり倒れたりするのを防止できる。
【００２８】
請求項７に記載の発明では、請求項１〜５のいずれか一項に記載の発明と同様な効果を奏するとともに、取付金具の左右に対となって設けている棚板係止爪を棚板の係合孔に挿入したときに係合孔の内周縁と棚板係止爪との隙間を小さくでき、遊びを少なくできる。
【発明を実施するための最良の形態】
【００２９】
以下に、本発明の実施の形態を添付図面を参照して詳細に説明するが、まず、図１〜図７を参照して本発明の第１実施の形態を説明する。図１の（ａ）は商品前出し棚の側面図であり、（ｂ）は（ａ）に示すＡ部の拡大図であり、図２は図１に示す商品前出し棚の分解斜視図であり、図３は商品前出し棚の組み付けを説明する側面図であり、図４はレール材と取付金具との連結を説明する図であり、（ａ）は分解斜視図であり（ｂ）は組み付け状態を示す側面図であり、図５の（ａ）はローラマットを除いた状態の商品前出し棚を示す平面図であり、（ｂ）は側面図であり、図６は取付金具の図であり（ａ）は平面図であり、（ｂ）は正面図であり、（ｃ）は側面図であり、図７はローラマットを示す図であり（ａ）は平面図であり、（ｂ）は側面図である。
【００３０】
第１実施の形態に係る商品前出し棚１は、取付金具３と、レール材５と、前面板７と、ローラマット９とから構成されており、既存のゴンドラ型の陳列棚１１の棚板１３に取付られている。ローラマット９上には商品Ｓが載置され、最前の商品Ｓを取ると、次の商品が前に出るようになっている。
【００３１】
棚板１３は、陳列棚１１の支柱１５にブラケット１７により奥行き方向前方を下に傾斜して取り付けられている。
【００３２】
取付金具３は、棚板１３の左右方向に間隔を開けて複数取り付けてあり、平面視略矩形の本体１９に棚板係止爪２１とレール材係止爪２３とが一体に形成されている。棚板係止爪２１は本体１９の前方下側に突設して形成してあり且つ本体１９の左右のコーナに設けている。この棚板係止爪２１は断面略Ｌ字形状を成しており、既存の棚板１３に形成されている円形の係合孔２５に斜め上方から挿入して係止されている。
【００３３】
取付金具３の棚板係止爪２１とレール材係止爪２３とは、幅寸法が異なっており、棚耐１３の係合孔の寸法に応じて、取付金具３をひっくり返してレール材係止爪２３を棚板係止爪２１として用いることができるようになっている。尚、取付金具３をひっくり返して用いた場合にもリブ３１はリブ孔２９内に配置することができる。
【００３４】
また、棚板１３の係合孔２５は丸孔であり、取付金具３の左右に対となっている各棚板係止爪２１は棚板１３の長手方向に対して傾斜している。これにより、図６（ａ）に抜き出して示すように、棚板係止爪２１が棚板１３の係合孔２５に挿入したときに係合孔２５の内周縁と棚板係止爪２１との隙間を小さくでき、遊びを少なくできる。本実施の形態では、左右の棚板係止爪２１、２１は、棚板１３の長手方向軸線に対して略４５度の角度で傾斜しており、且つ左右の棚板係止爪２１、２１は互いに異なる向きで略４５度の角度を形成している。このように棚板係止爪２１、２１に角度を形成することにより、更に遊びを少なくでき棚板１３と取付金具３とのがたつきを最初限にすることができる。
【００３５】
既存の棚板１３に形成されている係合孔２５は、丸穴であり列状に配置されているが製造元によりその係合孔の大きさや間隔が異なる場合があるが、本実施の形態では、棚板係止爪２１、２１の間隔を複数の一般的な係合孔２５の間隔に対して最小公倍数の間隔としている。これにより、棚板によっては円形の係合孔２５の間隔にずれがある場合でも係合孔２５と棚板係止爪２１との位置が一致しやすい。
【００３６】
レール材係止爪２３は、取付金具本体（以下単に「本体」とする）１９の後方上側に突設して形成してあり且つ本体１９の左右のコーナとその間に合計３個形成されている。レール材係止爪２３は断面略Ｌ字形状を成しており、レール材５に形成されている矩形の係合孔２７に斜め下方から挿入して係止している。
【００３７】
本体１９には略矩形のリブ孔２９が形成されており、レール材５の下面に突設されているリブ３１がリブ孔２９内に位置して、取付金具３に対するレール材５の移動を規制している。
【００３８】
レール材５は、棚板１３の左右方向に亘って配置されており、前面板７の下端を上方から挿入して係止する前面板係止部３３と、ローラマット９の先端を後方から挿入して係止するローラマット係止部３５とが設けられている。レール材５には、平面視矩形の係合孔２７及び２８がレール材５の長手方向に沿って２列設けており、取付金具３に係合する係合孔２７の他に後述第３実施の形態に用いられる取付金具４３も係合孔２８に係合可能になっており、汎用性が高められている。
【００３９】
前面板係止部３３は前面板７の下端を差し込む差込溝３４を備えており、前面板７には下端部正面に長手方向の係合溝７ａが形成されており、差込溝３４の前側溝壁３４ａには前面板の係合溝７ａに嵌合する突条３６が設けてあり、且つ後側溝壁３４ｂは上方を後方に向けて傾斜して、差込溝３４の開口部を広げているので、前板７は挿入しやすくしかも商品積載時には前板７が商品により前方に押しつけられるので前面板７が前面板係止部３３から抜け難くなっている。
【００４０】
ローラマット係止部３５には、ローラマット９の上面を押さえる押さえ部３８と、ローラマット９の下面に形成されている係合部９ｂに係合する上向き突部４０とが設けてあり、ローラマット９の先端上面が凹んだ段部９ａに押さえ部３８が当接して位置し、上向き突部４０はローラマット９の下面で係合部９ｂに係合している。
【００４１】
ローラマット９は、水平軸周りに回転自在に設けたローラ３９を奥行き方向に複数設けており、商品Ｓが各ローラ３９上を奥行き方向後側から前側に傾斜にしたがって移動可能となっている。
【００４２】
ローラマット９の先端側、後端側及び中間部には仕切り４１の係止孔４４が設けてあり、図７に抜き出して示しているように、この係止孔４４は孔位置をずらして複数形成されており、細かいピッチ調整ができるようになっている。
【００４３】
次に、本実施の形態にかかる商品前出し棚１の組み付け、作用及び効果を説明する。商品前出し棚１の組み付けは、ブラケット１７を陳列棚１１の支柱１５に前方を下方に傾斜して取り付け、ブラケット１７に既存の棚板１３を取り付ける。次に、棚板１３に取付金具３を取り付けた後、取付金具３にレール材５を取り付け、レール材５に前面板７とローラマット９を装着し、仕切り４１を取り付ける。
【００４４】
本実施の形態によれば、既存の陳列棚１１において、既存の棚板１３に取付金具３を取り付け、取付金具３に前面板７とローラマット９を装着するだけで、既存棚板１３に商品前出し棚１を簡単に組み換えできる。
【００４５】
棚板１３への取付金具３の取り付けは、取付金具３の棚板係止爪２１を棚板１３の係合孔２５に上方から挿入して行い、取付金具３へのレール材５の取り付けは、取付金具３のレール材係止爪２３をレール材５の係合孔２７に下方から挿入して係止する。陳列棚１１の棚板１３には、通常所定の間隔で係合孔２５が形成してあるので、取付金具３はこの既存の棚板１３に形成されている係合孔２５を利用して取り付けることができる。
【００４６】
棚板係止爪２１は取付金具本体１９に対して下方に突設してレール材係止爪２３は上方に突設している構成であるから、取付金具３を棚板１３とレール材５との間に装着したときに取付金具３を棚板１３との間の隙間を取付金具３の板厚にできコンパクトに納めることができる。
【００４７】
棚板係止爪２１は棚板１３に形成されている係合孔２５に後方から係止し、レール材係止爪２３はレール材５に前方から係止して、前後方向においてそれぞれ対向する方向から係止しているので、レール材５及びレール材５に係止しているローラマット９が棚板１３から前後に位置ずれするのを防止できる。
【００４８】
取付金具３、レール材５、前面板７及びローラマット９を相互に係止する構成であるから、これらを別部材として簡単に組み付け及び分解でき、しかもそれぞれ別部材として搬送や保管できるので、取扱い易く、保管スペースが少なくて済む。
【００４９】
取付金具３には、棚板係止爪２１とレール材係止爪２３とを形成するだけの簡単な構成にすることができ、取付金具３は簡易な構成で且つ製造も容易である。
【００５０】
また、取付金具３の各係止爪２１、２３は上方と下方とに突設した断面略Ｌ字形状としているので、係合孔に係止し易く且つ係合孔からの飛出しを防止できる。
【００５１】
取付金具３に対してレール材５が移動しようとすると、レール材５の下面に突設したリブ３１がリブ孔２９の内周縁に当接して取付金具３に対するレール材５の左右方向の移動を規制することができる。
【００５２】
次に、本発明の他の実施形態について説明するが、以下の説明では上述した実施の形態と同一の作用効果を奏する部分には、同一の符合を付することによりその部分の詳細な説明を省略し、以下の説明では上述した実施の形態と主に異なる点について説明する。
【００５３】
図８は第２実施の形態にかかる商品前出し棚１の分解斜視図を示したものであり、この第２実施の形態は、棚板１３の表面１３ａが前方を下にして傾斜している。この第２実施の形態では、上述した実施の形態と異なり棚板１３を傾斜して取り付ける必要がない。
【００５４】
図９〜図１１は第３実施の形態を示すものであり、ショウーケース内に配置されている棚板１３に商品前出し棚１を組み付けたものである。図９は第３実施の形態にかかる商品前出し棚の断面図であり、図１０は図９に示す商品前出し棚において棚板を除いて示す分解斜視図であり、図１１は図９に示す取付金具の図であり、（ａ）は平面図であり、（ｂ）は正面図であり、（ｃ）は側面図であり、図１２は取付金具とレール材との係合を説明する斜視図である。
【００５５】
この第３実施の形態にかかる商品前出し棚１では、上述した取付金具３に変えて、取付金具４３を用いているとともに、棚板１３に係合孔２５が形成されているか否かは問題としていない。即ち、取付金具４３は、棚板１３の奥行き方向後端１３ａに係止する係止部４７と、レール材５に形成されている係合孔２７に係止するレール材係止爪２３とを備えている。係止部４７は取付金具４３の端を折り曲げて形成されている。
【００５６】
この第３実施の形態では、既存の棚板１３の後端に取付金具４３の係止部４７を引っ掛けるようにして係止し、レール材５に前面板７とローラマット９を係止するだけで、棚板１３に簡単に組み付けできる。この第３実施の形態においても上述した実施の形態と同様な作用効果を得ることができるとともに、棚板１３には、取付金具４３との係合孔を設けてある必要がないので、既存棚板１３の適用範囲が広い。
【図面の簡単な説明】
【００５７】
【図１】（ａ）は商品前出し棚の側面図であり、（ｂ）は（ａ）に示すＡ部の拡大図である。
【図２】図１に示す商品前出し棚の分解斜視図である。
【図３】商品前出し棚の組み付けを説明する側面図である。
【図４】レール材と取付金具との連結を説明する図であり、（ａ）は分解斜視図であり（ｂ）は組み付け状態を示す側面図である。
【図５】（ａ）はローラマットを除いた状態の商品前出し棚を示す平面図であり、（ｂ）は側面図である。
【図６】取付金具の図であり、（ａ）は平面図であり、（ｂ）は正面図であり、（ｃ）は側面図である。
【図７】ローラマットを示す図であり、（ａ）は平面図であり、（ｂ）は正面図であり、（ｃ）は側面図である。
【図８】第２実施の形態にかかる商品前出し棚の分解斜視図である。
【図９】第３実施の形態にかかる商品前出し棚の断面図である。
【図１０】図１０に示す商品前出し棚において、棚板を除いて示す分解斜視図である
【図１１】図１０に示す取付金具の図であり、（ａ）は平面図であり、（ｂ）。は正面図であり、（ｃ）は側面図である。
【図１２】図１１に示す取付金具とレール材との係合を説明する斜視図である。
【符号の説明】
【００５８】
１      商品前出し棚
３      取付金具
５      レール材
７      前面板
９      ローラマット
１３    棚板
２１    棚板係止爪
２３    レール材係止爪
２５    棚板の係合孔
２７    レール材の係合孔
２９    リブ孔
３１    リブ
３３    前面板係止部
３５    ローラマット係止部
３４    差込溝
３６    突条
３８    押さえ部
４０    上向き突部
４３    取付金具
４５    係止部
【図１】
2005137754.tif 000003
【図２】
2005137754.tif 000004
【図３】
2005137754.tif 000005
【図４】
2005137754.tif 000006
【図５】
2005137754.tif 000007
【図６】
2005137754.tif 000008
【図７】
2005137754.tif 000009
【図８】
2005137754.tif 000010
【図９】
2005137754.tif 000011
【図１０】
2005137754.tif 000012
【図１１】
2005137754.tif 000013
【図１２】
2005137754.tif 000014